【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
ブラジャであって：
前記ブラジャの着用者を少なくとも部分的に包囲するように構成された身ごろ部分であって、
前記ブラジャの着用者を少なくとも部分的に包囲するように構成される胴体用バンドと、
第１の乳房用カップと第２の乳房用カップとを有し前記着用者の乳房をサポートするように構成された一対の乳房用カップとを備える、前記身ごろ部分と；
前記一対の乳房用カップの下方周辺に隣接して前記身ごろ部分に接着剤で接着されたアンダーバスト支持体と；を備える、
ブラジャ。
【請求項２】
前記アンダーバスト支持体は、前記第１の乳房用カップの前記下方周辺に隣接する第１のアンダーバスト支持体要素と、前記第２の乳房用カップの前記下方周辺に隣接する第２のアンダーバスト支持体要素とを備える、
請求項１に記載のブラジャ。
【請求項３】
前記アンダーバスト支持体は、前記身ごろ部分へ直に接着されたアンダーワイヤを備える、
請求項１又は請求項２に記載のブラジャ。
【請求項４】
前記アンダーバスト支持体は、アンダーワイヤケーシングを備える、
請求項１又は請求項２に記載のブラジャ。
【請求項５】
前記アンダーワイヤケーシングは、ニット生地でできたチューブを備える、
請求項４に記載のブラジャ。
【請求項６】
前記アンダーワイヤケーシングは、織り生地でできたチューブを備える、
請求項４に記載のブラジャ。
【請求項７】
前記アンダーワイヤケーシングの外面は、前記身ごろ部分の内面に接着する、
請求項４乃至請求項６のいずれか１項に記載のブラジャ。
【請求項８】
前記アンダーワイヤケーシングの内面は、緩衝面を備える、
請求項４乃至請求項７のいずれか１項に記載のブラジャ。
【請求項９】
前記緩衝面は、浮き柄を備える、
請求項８に記載のブラジャ。
【請求項１０】
前記アンダーワイヤケーシングの最大伸びは５％未満又は５％である、
請求項４乃至請求項９のいずれか１項に記載のブラジャ。
【請求項１１】
前記アンダーワイヤケーシングは、外側生地層と内側生地層とを備え、
前記外側生地層と前記内側生地層は、前記外側生地層と前記内側生地層との間にチャネルを画成し、
前記外側生地層と前記内側生地層は、前記アンダーワイヤケーシングの内側端で互いにつながる、
請求項４乃至請求項１０のいずれか１項に記載のブラジャ。
【請求項１２】
前記外側生地層と前記内側生地層とは、前記内側端で互いに溶接される、
請求項１１に記載のブラジャ。
【請求項１３】
前記外側生地層と前記内側生地層とは、前記内側端で互いに接着される、
請求項１１に記載のブラジャ。
【請求項１４】
前記外側生地層と前記内側生地層とは、前記内側端で互いに縫合される、
請求項１１に記載のブラジャ。
【請求項１５】
前記外側生地層と前記内側生地層とは、前記アンダーワイヤケーシングの外側端で連続する、
請求項１１に記載のブラジャ。
【請求項１６】
前記接着剤は、反応性接着剤、熱硬化性接着剤、又は熱可塑性樹脂の少なくとも１つを備える、
請求項１乃至請求項１５のいずれか１項に記載のブラジャ。
【請求項１７】
前記接着剤は、シリコーン、ポリウレタン、又はシアノアクリレートの少なくとも１つを備える、
請求項１乃至請求項１５のいずれか１項に記載のブラジャ。
【請求項１８】
ブラジャの身ごろ部分を提供するステップであって、前記身ごろ部分は、第１の乳房用カップと第２の乳房用カップとを有する一対の乳房用カップを備える、前記提供するステップと；
アンダーバスト支持体を、前記一対の乳房用カップの下方周辺に隣接して前記身ごろ部分に接着するステップと；を備え、
アンダーバスト支持体を、前記身ごろ部分に接着する前記ステップは、アンダーワイヤを前記身ごろ部分へ直に接着するステップを備える、
方法。
【請求項１９】
アンダーバスト支持体を、前記一対の乳房用カップの下方周辺に隣接して前記身ごろ部分に接着する前記ステップは：
前記第１の乳房用カップの前記下方周辺に隣接して第１のアンダーワイヤを接着するステップと；
前記第２の乳房用カップの前記下方周辺に隣接して第２のアンダーワイヤを接着するステップと；を備える、
請求項１８に記載の方法。
【請求項２０】
ブラジャの身ごろ部分を提供するステップであって、前記身ごろ部分は、第１の乳房用カップと第２の乳房用カップとを有する一対の乳房用カップを備える、前記提供するステップと；
アンダーワイヤケーシングを、前記一対の乳房用カップの下方周辺に隣接して前記身ごろ部分に取り付けるステップであって、前記アンダーワイヤケーシングの最大伸びは５％未満又は５％である、前記取り付けるステップと；を備える、
方法。
【手続補正２】
【補正対象書類名】明細書
【補正対象項目名】００６８
【補正方法】変更
【補正の内容】
【００６８】
いくつかの実施について述べたが、本開示の主旨及び範囲から逸脱することなく様々な改変を行えることが理解されよう。
［第１の局面］
ブラジャであって：
前記ブラジャの着用者を少なくとも部分的に包囲するように構成された身ごろ部分であって、前記ブラジャの着用者を少なくとも部分的に包囲するように構成される胴体用バンドと、第１の乳房用カップと第２の乳房用カップとを有し前記着用者の乳房をサポートするように構成された一対の乳房用カップとを備える、前記身ごろ部分と；
前記一対の乳房用カップの下方周辺に隣接して前記身ごろ部分に接着されたアンダーバスト支持体と；を備える、
ブラジャ。
［第２の局面］
前記アンダーバスト支持体は、前記第１の乳房用カップの下方周辺に隣接する第１のアンダーバスト支持体要素と、前記第２の乳房用カップの下方周辺に隣接する第２のアンダーバスト支持体要素とを備える、
第１の局面に記載のブラジャ。
［第３の局面］
前記アンダーバスト支持体は、前記身ごろ部分へ直に接着されたアンダーワイヤを備える、
第１の局面又は第２の局面に記載のブラジャ。
［第４の局面］
前記アンダーバスト支持体は、アンダーワイヤケーシングを備える、
第１の局面又は第２の局面に記載のブラジャ。
［第５の局面］
前記アンダーワイヤケーシングは、ニット生地でできたチューブを備える、
第４の局面に記載のブラジャ。
［第６の局面］
前記アンダーワイヤケーシングは、織り生地でできたチューブを備える、
第４の局面に記載のブラジャ。
［第７の局面］
前記アンダーワイヤケーシングの外面は、前記身ごろ部分の内面に接着する、
第４の局面乃至第６の局面のいずれか１項に記載のブラジャ。
［第８の局面］
前記アンダーワイヤケーシングの内面は、緩衝面を備える、
第４の局面乃至第７の局面のいずれか１項に記載のブラジャ。
［第９の局面］
前記緩衝面は、浮き柄を備える、
第８の局面に記載のブラジャ。
［第１０の局面］
前記アンダーワイヤケーシングの最大伸びは５％未満又は５％である、
第４の局面乃至第９の局面のいずれか１項に記載のブラジャ。
［第１１の局面］
前記アンダーワイヤケーシングは、外側生地層と内側生地層とを備え、
前記外側生地層と前記内側生地層は、前記外側生地層と前記内側生地層との間にチャネルを画成し、
前記外側生地層と前記内側生地層は、前記アンダーワイヤケーシングの内側端で互いにつながる、
第４の局面乃至第１０の局面のいずれか１項に記載のブラジャ。
［第１２の局面］
前記外側生地層と前記内側生地層とは、前記内側端で互いに溶接される、
第１１の局面に記載のブラジャ。
［第１３の局面］
前記外側生地層と前記内側生地層とは、前記内側端で互いに接着される、
第１１の局面に記載のブラジャ。
［第１４の局面］
前記外側生地層と前記内側生地層とは、前記内側端で互いに縫合される、
第１１の局面に記載のブラジャ。
［第１５の局面］
前記外側生地層と前記内側生地層とは、前記アンダーワイヤケーシングの外側端で連続する、
第１１の局面に記載のブラジャ。
［第１６の局面］
前記アンダーバスト支持体は、接着剤で前記身ごろ部分に接着する、
第１の局面乃至第１５の局面のいずれか１項に記載のブラジャ。
［第１７の局面］
前記接着剤は、反応性接着剤、熱硬化性接着剤、又は熱可塑性樹脂の少なくとも１つを備える、
第１６の局面に記載のブラジャ。
［第１８の局面］
前記接着剤は、シリコーン、ポリウレタン、又はシアノアクリレートの少なくとも１つを備える、
第１６の局面に記載のブラジャ。
［第１９の局面］
前記身ごろ部分は、前記着用者の脇下周りに配置されるように構成されたサイドパネルを備える、
第１の局面乃至第１８の局面のいずれか１項に記載のブラジャ。
［第２０の局面］
前記身ごろ部分は、バックパネルを備える、
第１の局面乃至第１９の局面のいずれか１項に記載のブラジャ。
［第２１の局面］
前記一対の乳房用カップの上端周りの前記身ごろ部分と、バックパネルとにつながれる肩紐を更に備え、
前記肩紐は、少なくとも部分的に前記着用者の肩にわたり延在するように構成される、
第１の局面乃至第２０の局面のいずれか１項に記載のブラジャ。
［第２２の局面］
ブラジャの身ごろ部分を提供するステップであって、前記身ごろ部分は、第１の乳房用カップと第２の乳房用カップとを有する一対の乳房用カップを備える、前記提供するステップと；
アンダーバスト支持体を、前記一対の乳房用カップの下方周辺に隣接して前記身ごろ部分に接着するステップと；を備える、
方法。
［第２３の局面］
アンダーバスト支持体を、前記一対の乳房用カップの下方周辺に隣接して前記身ごろ部分に接着する前記ステップは：
前記第１の乳房用カップの下方周辺に隣接して第１のアンダーバスト支持体要素を接着するステップと；
前記第２の乳房用カップの下方周辺に隣接して第２のアンダーバスト支持体要素を接着するステップと；を備える、
第２２の局面に記載の方法。
［第２４の局面］
アンダーバスト支持体を、前記身ごろ部分に接着する前記ステップは、アンダーワイヤを前記身ごろ部分へ直に接着するステップを備える、
第２２の局面に記載の方法。
［第２５の局面］
アンダーバスト支持体を、前記身ごろ部分に接着する前記ステップは、アンダーワイヤケーシングを前記身ごろ部分に接着するステップを備える、
第２２の局面又は第２３の局面に記載の方法。
［第２６の局面］
前記アンダーバスト支持体を、前記身ごろ部分に接着する前記ステップは、前記アンダーバスト支持体を、反応性接着剤、熱硬化性接着剤、又は熱可塑性樹脂の少なくとも１つを用いて前記身ごろ部分に接着するステップを備える、
第２２の局面乃至第２５の局面のいずれか１項に記載の方法。
［第２７の局面］
前記アンダーバスト支持体を、前記身ごろ部分に接着する前記ステップは、前記アンダーバスト支持体を、シリコーン、ポリウレタン、又はシアノアクリレートの少なくとも１つを用いて、前記身ごろ部分に接着するステップを備える、
第２２の局面乃至第２５の局面のいずれか１項に記載の方法。
［第２８の局面］
ブラジャの身ごろ部分を提供するステップであって、前記身ごろ部分は、第１の乳房用カップと第２の乳房用カップとを有する一対の乳房用カップを備える、前記提供するステップと；
アンダーワイヤケーシングを、前記一対の乳房用カップの下方周辺に隣接して前記身ごろ部分に取り付けるステップであって、前記アンダーワイヤケーシングの最大伸びは５％未満又は５％である、前記取り付けるステップと；を備える、
方法。
［第２９の局面］
アンダーワイヤケーシングの外側生地層を、前記アンダーワイヤケーシングの内側生地層へ前記アンダーワイヤケーシングの内側端で取り付けるステップを備え、
前記外側生地層と前記内側生地層は、前記外側生地層と前記内側生地層との間にチャネルを画成する、
第２８の局面に記載の方法。
［第３０の局面］
前記外側生地層を、前記内側生地層へ前記アンダーワイヤケーシングの前記内側端で取り付ける前記ステップは、前記外側生地層を、前記内側生地層へ、前記内側端で溶接するステップを備える、
第２９の局面に記載の方法。
［第３１の局面］
前記外側生地層を、前記内側生地層へ前記アンダーワイヤケーシングの前記内側端で取り付ける前記ステップは、前記外側生地層を、前記内側生地層へ、前記内側端で接着するステップを備える、
第２９の局面に記載の方法。
［第３２の局面］
前記外側生地層を、前記内側生地層へ前記アンダーワイヤケーシングの前記内側端で取り付ける前記ステップは、前記外側生地層を、前記内側生地層へ、前記内側端で縫合するステップを備える、
第２９の局面に記載の方法。